(57)【要約】【課題】  距離の離れた場所にばら物を振分けて供給できる簡易な構造のばら物コンベアの振分け装置を提供する。【解決手段】  振分け装置１０は、ばら物コンベア１の一端に取り付けられてその延長方向に延びた先端枠部材１１と、ばら物コンベアの一端側の下方にそれに沿って配置されたばら物受け部材１６を備えている。ばら物受け部材は、その長手方向中間の幅方向両側に、ばら物コンベアの先端側の幅方向両側に取り付けられて吊下げられた一対の吊下げ鎖１４が取り付けられている。先端枠部材１１の先端には一対の前電動ウインチ１２が取り付けられ、ばら物コンベアの吊下げ鎖の取付位置より長手方向下側位置には、一対の後電動ウインチ１５が取り付けられている。前後電動ウインチから延びて垂れ下がる振分け鎖１３が、その中間位置にてばら物受け部材の先端側に固定されている。【選択図】    図２
0003103136.tif 000002
【実用新案登録請求の範囲】
【請求項１】
ばら物コンベアの一端に設けられて、該ばら物コンベアにより搬送されて一端から落下するばら物を該ばら物コンベアに沿って離れた２箇所に振分ける振分け装置であって、
前記ばら物コンベアの一端に取り付けられてその延長方向に延びた先端枠部材と、
前記ばら物コンベアの一端側の下方に配置された板状のばら物受け部材と、
該ばら物受け部材の前記ばら物コンベアに沿った方向の中間でかつ幅方向の両側に一端にて固定され他端にて該ばら物コンベアの先端側の幅方向両側に取り付けられて該ばら物受け部材を回動可能に吊下げる一対の吊下げ鎖と、
前記先端枠部材の先端に取り付けられて鎖を引張りあるいは緩める前電動ウインチと、
前記ばら物コンベアの前記吊下げ鎖の取付位置から他端側に離間した位置に取り付けられて鎖を引張りあるいは緩める後電動ウインチと、
前記前電動ウインチ及び後電動ウインチ間を連結して垂れ下がり、中間位置にて前記ばら物受け部材の一端側に固定される振分け鎖と、
前記前電動ウインチ及び後電動ウインチの駆動を同期させて制御することにより、前記振分け鎖の前記ばら物受け部材への固定位置から該前電動ウインチ及び後電動ウインチに至る長さを調節して該ばら物受け部材の面を反転可能にさせるコントローラと
を備えたことを特徴とするばら物コンベアの振分け装置。
【考案の詳細な説明】
【技術分野】
【０００１】
本考案は、コンベアで輸送される、石炭、鉱石、珪砂その他のばら物を、供給位置に応じて振分けて落下させるばら物コンベアの振分け装置に関する。
【背景技術】
【０００２】
従来、ばら物コンベアによって例えば船舶へばら物を供給して積載する場合には、岸壁に設置してベルトコンベアの先端側を船舶上の供給位置まで延ばして、コンベアによってばら物を移送していた。さらに、船舶上の５〜６ｍ離れた異なったばら物保管場所に移送する場合には、船舶を動かして位置を変えることにより行われていた。しかし、船舶の位置を変えるには、係留ロープを緩めて船舶を位置決めしながら動かす必要があり、そのために１時間以上の時間を要していた。そのため、ばら物積載の手間がかかり、作業コストが高価になっていた。
【考案の開示】
【考案が解決しようとする課題】
【０００３】
本考案は、上記した問題を解決しようとするもので、距離の離れた場所にばら物を振分けて安価に供給できる簡易な構造のばら物コンベアの振分け装置を提供することを目的とする。
【課題を解決するための手段】
【０００４】
上記目的を達成するために本考案の構成上の特徴は、ばら物コンベアの一端に設けられて、ばら物コンベアにより搬送されて一端から落下するばら物をばら物コンベアに沿って離れた２箇所に振分ける振分け装置であって、前記ばら物コンベアの一端に取り付けられてその延長方向に延びた先端枠部材と、前記ばら物コンベアの一端側の下方に配置された板状のばら物受け部材と、ばら物受け部材の前記ばら物コンベアに沿った方向の中間でかつ幅方向の両側に一端にて固定され他端にてばら物コンベアの先端側の幅方向両側に取り付けられてばら物受け部材を回動可能に吊下げる一対の吊下げ鎖と、前記先端枠部材の先端に取り付けられて鎖を引張りあるいは緩める前電動ウインチと、ばら物コンベアの吊下げ鎖の取付位置から他端側に離間した位置に取り付けられて鎖を引張りあるいは緩める後電動ウインチと、前電動ウインチ及び後電動ウインチ間を連結して垂れ下がり、中間位置にてばら物受け部材の一端側に固定される振分け鎖と、前電動ウインチ及び後電動ウインチの駆動を同期させて制御することにより、振分け鎖のばら物受け部材への固定位置から前電動ウインチ及び後電動ウインチに至る長さを調節してばら物受け部材の面を反転可能にさせるコントローラとを備えたことにある。
【０００５】
上記のように構成した考案においては、コントローラにより、前電動ウインチ及び後電動ウインチの駆動を同期させて制御することにより、まず振分け鎖のばら物受け部材から前電動ウインチ側に至る長さを短く、ばら物受け部材から後電動ウインチに至る長さ長くなるように調節することにより、ばら物受け部材を先端枠部材側が下方に向いて傾斜した状態にさせることができる。これにより、ばら物コンベアから落下したばら物を、コンベアより遠方の供給位置に落下させることができる。一方、コントローラにより、振分け鎖のばら物受け部材から前電動ウインチ側に至る長さを長くし、ばら物受け部材から後電動ウインチに至る長さ短くなるように調節することにより、ばら物受け部材が吊下げ鎖を中心に回動して上下面が反転して、ばら物受部材を後電動ウインチ側が下方に向いて傾斜した状態にさせることができる。これにより、ばら物コンベアから落下したばら物を、コンベアの先端に対して他端側の供給位置に落下させることができる。
【０００６】
その結果、本考案においては、ばら物コンベアに沿ってその先端側の離れた２箇所の供給位置にばら物を落下供給させることができる。そのため、例えば船舶上の５ｍ程度離れた２箇所のばら物供給位置に対して、ばら物受部材の傾斜をコントローラで変えることにより、船舶を動かして位置調節する必要なく、ばら物を短時間に簡易に供給することができる。
【考案の効果】
【０００７】
本考案のばら物コンベアの振分け装置においては、例えば船舶上の５ｍ程度離れた２箇所の供給位置に、船舶を動かして位置調節する必要なく、ばら物を簡易に供給することができるため、ばら物の搬送作業の時間及び搬送コストを低減できる。
【考案を実施するための最良の形態】
【０００８】
以下、本考案の一実施例について図面を用いて説明する。図1は、本考案の振分け装置を適用したばら物コンベアの概略構成を正面図により示したものである。図２及び図３はばら物振分け装置の使用状態を正面図及び平面図により詳細に示したものである。図４はばら物振分け装置の他の使用状態を正面図により詳細に示したものである。なお、図２〜図４において、コンベア１のコンベア本体３については、基部３ａのみを図示する。また、ばら物コンベア１及びその振分け装置１０の左右、上下及び前後方向については、図１〜図３の正面図を基準として左右、上下及び前後方向に合わせるものとする。
【０００９】
ばら物コンベア１は、図１に示すように、地面上に載置された平坦な台２と、台２上に載置されると共に、左端側が台２の左端側に回動可能に支持されたコンベア本体３と、台２の中央にてコンベア本体３との間に設けられてコンベア本体３を持ち挙げることによりコンベア本体３の傾斜角度を可変にするパワーシリンダ４と、コンベア本体３の右端上部のケース５ａに取り付けられたギャードモータ５と、コンベア本体３の左端にてコンベア位置に合わせて地面上に載置されたホッパー６とを備えている。図１においては、コンベア本体３は、地面に対して略１５°程度傾斜した状態にされている。コンベア本体３は、長さが略１３ｍで幅が略５０ｃｍの長尺状枠板である基部３ａを設けており、その長手方向両端には右及び左プーリ３ｂ，３ｃが取り付けられており、両プーリ３ｂ，３ｃにはベルト３ｄが巻装されている。
【００１０】
基部３ａには、ベルト３ｄを支える上側のキャリアローラ３ｅと、下側のリターンローラ３ｆとが設けられている。コンベア本体３の右プーリ３ｂの軸端には大歯車３ｇが取り付けられており、ギャードモータ５の回転軸に取り付けられた小歯車５ｂとの間にチェーン５ｃが巻装されており、ギャ−ドモータ５の回転がチェーン５ｃによって大歯車３ｇに伝えられて、大歯車３ｇの回転によりベルト３ｄが移動させられるようになっている。
【００１１】
ばら物振分け装置１０は、コンベア本体３の基部３ａの先端に取り付けられてその延長方向に延びた先端枠部材１１と、コンベア本体３の先端の下方にその長手方向に合わせて配置された略長方形のばら物受け部材１６を備えている。ばら物受け部材１６は、その長手方向中間の幅方向両側に、ばら物コンベア１の先端側の幅方向両側に取り付けられて垂れ下がった一対の吊下げ鎖１４が取り付けられている。先端枠部材１１の先端の幅方向両側には、鎖を引張りあるいは緩める一対の前電動ウインチ１２が取り付けられている。また、ばら物コンベア１の吊下げ鎖１４に対する長手方向下側の幅方向側位置には、鎖を引張りあるいは緩める一対の後電動ウインチ１５が取り付けられている。そして、各前電動ウインチ１２及び各後電動ウインチ１５を連結すると共に両者間に垂れ下がる振分け鎖１３が、その中間位置にてばら物受け部材１６の先端側に固定されている。前電動ウインチ１２及び後電動ウインチ１５の駆動は、遠隔操作式のリモコン装置１９（コントローラ）により互いに同期して駆動制御される。
【００１２】
先端枠部材１１は、図２、図３に示すように、コンベア本体３の基部３ａ右側端に取り付けられてその延長方向に延びた長方形の金属板製の枠である。先端枠部材１１の右端の幅方向両側には、一対の前電動ウインチ１２が取り付けられている。前電動ウインチ１２は、振分け鎖１３を収容すると共に引出すものである。また、基部３ａの右側端近傍の幅方向両側には、一対の吊下げ鎖１４がそれぞれ取り付けられている。さらに、基部２の吊下げ鎖１４取り付け位置より左方向に所定距離離れて、一対の後電動ウインチ１５が取り付けられている。後電動ウインチ１５も、前電動ウインチ１２から引出されて連結された振分け鎖１３を収容すると共に引出すものである。前電動ウインチ１２及び後電動ウインチ１５間に介装された振分け鎖１３は、下方に垂れ下がって、その中間部分が、ばら物受け部材１６の右端に固定されている。振分け鎖１３は、同期して駆動される前電動ウインチ１２及び後電動ウインチ１５によって前方向あるいは後方向に引っ張られるようになっている。
【００１３】
ばら物受け部材１６は、受け板部１７と、受け板部１７の幅方向両側に垂直に取り付けられたガイド板部１８とを備えており、コンベア本体３の先端の下方にコンベア本体３の長手方向に合わせて配置されている。受け板部１７は、左端側がベルトと略同一幅で、右端に向けて幅が狭くなるように傾斜した略台形状の板材である。ガイド板部１８は、横長長方形の板材であり、右端に向けて狭くなった受け板部１７上を通過するばら物を下方に導くと共に、ばら物が受け板部１７の両側から落下することを防止するものである。前電動ウインチ１２及び後電動ウインチ１５は、リモコン装置１９により駆動開始及び駆動停止がコントロールされるようになっており、振分け鎖１３の前電動ウインチ及び後電動ウインチに至る長さを調節することにより、ばら物受け部材１６の受け板部１７両面を図２に示す面から図４に示す面に反転させるものである。
【００１４】
つぎに、上記ばら物コンベア１の振分け装置１０の使用方法について説明する。
まず、リモコン装置１９の操作により、前電動ウインチ１２及び後電動ウインチ１５を同期して駆動を同期させて制御することにより、まず振分け鎖１３のばら物受け部材１６の受け板部１７から前電動ウインチ１２に至る長さを短く、受け板部１７から後電動ウインチ１５に至る長さを長くなるように調節することにより、図２に示すように、ばら物受け部材１６を先端枠部材１１側が下方に向けて傾斜した状態にさせることができる。これにより、ばら物コンベア１から落下したばら物を、コンベア１右端より右方の前方位置に落下させることができる。
【００１５】
一方、リモコン装置１９の操作により、振分け鎖１３の受け板部１７から前電動ウインチ１２に至る長さを長くし、受け板部１７から後電動ウインチ１５に至る長さを短くなるように調節することにより、図４に示すように、ばら物受け部材１６が吊下げ鎖１４を中心に図示右回りに回動して上下面を反転させることができる。これにより、ばら物受部材１６を後電動ウインチ１５側が下方に向けて傾斜した状態にさせることができる。その結果、ばら物コンベア１から落下したばら物を、コンベア１の先端側より左側の上記前方位置から５ｍ程度離れた後方位置に落下させることができる。
【００１６】
以上に説明したように、本実施例によれば、振分け装置１０によりばら物コンベア１の先端からコンベア１に沿った前後に離れた前方位置及び後方位置の２箇所にばら物を落下供給させることができる。そのため、例えば船舶上の５ｍ程度離れた２箇所に、船舶を動かして位置調節する必要がなく、船舶移動のために要する長い時間を省くことができるので、ばら物の振分け供給時間を大幅に短縮し作業コストを大幅に削減することができる。なお、上記各実施例に示したばら物コンベアの振分け装置については、一例であり、本考案の主旨を逸脱しない範囲において種々変更して実施することが可能である。
【産業上の利用可能性】
【００１７】
本考案のばら物コンベアの振分け装置においては、例えば船舶上の５ｍ程度離れた２箇所の供給位置に、船舶を動かして位置調節する必要なくばら物を短時間に振分けて供給することができるため、有用である。
【図面の簡単な説明】
【００１８】
【図１】本考案の一実施例を適用したばら物コンベアを概略的に示す正面図である。
【図２】同ばら物コンベアの振分け装置の使用状態を概略的に示す正面図である。
【図３】同振分け装置の使用状態を概略的に示す平面図である。
【図４】同振分け装置の他の使用状態を概略的に示す正面図である。
【符号の説明】
【００１９】
１…ばら物コンベア、３…コンベア本体、１０…振分け装置、１１…先端枠部材、１２…前電動ウインチ、１３…振分け鎖、１４…吊下げ鎖、１５…後電動ウインチ、１６…ばら物受け部材、１７…受け板部、１８…ガイド板部、１９…リモコン装置。
【図１】
0003103136.tif 000003
【図２】
0003103136.tif 000004
【図３】
0003103136.tif 000005
【図４】
0003103136.tif 000006